(57)【特許請求の範囲】
【請求項１】
フロントパネルに設けた画像表示部に複数の図柄を順次高速で移動表示した後、ストップスイッチの操作に基づいて該図柄の移動表示を停止させて、該図柄の停止表示態様が予め定めた一定の図柄の組み合わせである特別賞態様であった場合に、遊技者に特別遊技を行わせるスロットマシンにおいて、
上記スロットマシンは、
予め定めた確率で特別賞態様を発生させるための抽選を行う抽選手段と、
上記抽選手段の抽選により特別賞態様の発生条件が成立していない場合に使用する図柄列群であって、前記ストップスイッチを操作してから上記画像表示部による図柄の移動表示を停止させるまでに移動表示可能な図柄の数の範囲である図柄の停止過程における移動表示変動範囲内に、特別賞態様が発生する図柄の組合せを構成する図柄を必ずしも配置していない図柄列を有する通常図柄列群を記憶した通常図柄列群記憶手段と、
上記抽選手段の抽選により特別賞態様の発生条件が成立した場合に使用し、前記通常図柄列群とは異なる図柄配列を有する図柄列群であって、前記ストップスイッチを操作してから上記画像表示部による図柄の移動表示を停止させるまでに移動表示可能な図柄の数の範囲である図柄の停止過程における移動表示変動範囲内に、特別賞態様が発生する図柄の組合せを構成する図柄を必ず配置した特別図柄列群を記憶した特別図柄列群記憶手段と、
上記抽選手段における抽選結果に基づき、上記通常図柄列群記憶手段に記憶した通常図柄列群と、上記特別図柄列群記憶手段に記憶した特別図柄列群とを、選択的に切り替えて画像表示部に表示させる図柄列群表示切替手段とを備え、
前記画像表示部には、前記図柄列群表示切替手段によって選択された結果、切り替えられたいずれかの図柄列群が切り替わった状態で移動表示されるようにしたことを特徴とするスロットマシン。
【発明の詳細な説明】
【０００１】
【産業上の利用分野】
本発明は、スロットマシンに関し、特に特別賞態様が発生する条件が整った場合に、表示部における図柄の移動停止課程が自然となるようにしたものである。
【０００２】
【従来の技術】
従来、この種のスロットマシンでは、フロントパネルに設けた表示部に、複数の図柄列にそれぞれ配設された複数の図柄を順次高速で移動表示した後、図柄列における図柄の移動表示を停止させて、図柄の停止表示態様が予め定めた一定の図柄の組み合わせである特別賞態様であった場合に、遊技者に特別遊技を行わせている。
【０００３】
図柄の停止表示態様が特別賞態様となるには、まず、マイクロコンピュータ等からなる電気的制御装置内に設けられた抽選手段により抽選を行い、この抽選手段における抽選結果が特別賞態様を成立させることとなった場合に、特別賞態様の発生条件が成立したことを示すフラグをセットする。
そして、特別賞態様のフラグがセットされている場合に、図柄の停止制御を行って、遊技者がストップスイッチを操作してから、特別賞態様が発生する図柄の組合せとなるように、図柄の移動表示を停止させている。
【０００４】
【発明が解決しようとする課題】
しかし、上記した従来のスロットマシンでは、抽選手段における抽選結果が特別賞態様を成立させることとなり、特別賞態様のフラグがセットされた状態であっても、表示部に表示される図柄列は通常遊技時における図柄列と同様のものである。
【０００５】
そして、各図柄列において賞態様となる図柄は、必ずしも、画像表示部に移動表示する図柄の停止過程における移動表示変動範囲内に存在するとは限らない。そこで、特別賞態様のフラグがセットされて、特別賞態様を発生させようとする場合は、特別の図柄停止制御を行う必要があり、通常なら停止すべき位置において図柄を停止させずに、無理矢理に特別賞態様が構成する位置に図柄を停止させる場合もある。また、遊技者によるストップスイッチの操作タイミングと図柄の移動表示を停止させるタイミングとがあまりにもかけ離れていると判断される場合には、停止図柄の組合せが特別賞態様となるように停止制御させていなかった。
【０００６】
このため、特別賞態様を発生させる場合に、無理矢理に特別賞態様が構成する位置に図柄を停止させる場合図柄の移動停止課程が不自然なものとなり、遊技者に違和感を与えていた。また、スロットマシンの遊技に未熟な遊技者は、適切なタイミングでストップスイッチを操作するとことができずに、特別賞態様が構成する位置に図柄を停止させることができないことがあり、不利であるといった問題点があった。
【０００７】
本発明は、上記した従来の技術の有する問題点に鑑み提案されたもので、その目的とするところは、表示部における図柄の移動停止課程が自然であるとともに、遊技に未熟な遊技者であっても、停止図柄の組合せが特別賞態様となるように図柄の移動表示を容易に停止させることができるスロットマシンを提供することにある。
【０００８】
【課題を解決するための手段】
本発明は、上記した目的を達成するためのものであり、以下にその内容を図面に示した実施例を用いて説明する。
請求項１記載の発明は、予め定めた確率で特別賞態様を発生させるための抽選を行う抽選手段(131)と、上記抽選手段(131)の抽選により特別賞態様の発生条件が成立していない場合に使用する図柄列群であって、前記ストップスイッチ(90)を操作してから上記画像表示部(40)による図柄の移動表示を停止させるまでに移動表示可能な図柄の数の範囲である図柄の停止過程における移動表示変動範囲内に、特別賞態様が発生する図柄の組合せを構成する図柄を必ずしも配置していない図柄列を有する通常図柄列群(132)を記憶した通常図柄列群(132)を記憶した通常図柄列群記憶手段(133)と、上記抽選手段(131)の抽選により特別賞態様の発生条件が成立した場合に使用し、前記通常図柄列群とは異なる図柄配列を有する図柄列群であって、前記ストップスイッチ(90)を操作してから上記画像表示部(40)による図柄の移動表示を停止させるまでに移動表示可能な図柄の数の範囲である図柄の停止過程における移動表示変動範囲内に、特別賞態様が発生する図柄の組合せを構成する図柄を必ず配置した特別図柄列群(134)を記憶した特別図柄列群記憶手段(135)と、上記抽選手段(131)における抽選結果に基づき、上記通常図柄列群記憶手段(133)に記憶した通常図柄列群(132)と、上記特別図柄列群記憶手段(135)に記憶した特別図柄列群(134)とを、選択的に切り替えて画像表示部(40)に表示させる図柄列群表示切替手段(136)とを備え、前記画像表示部(40)には、前記図柄列群表示切替手段(136)によって選択された結果、切り替えられたいずれかの図柄列群が切り替わった状態で移動表示されるようにしたことを特徴とする。
【０００９】
【作用】
請求項１記載の発明によれば、遊技者が遊技に供するためのメダルを投入し、スタートスイッチ(80)を操作すると、画像表示部(40)に表示される図柄列群の図柄が高速で移動表示を開始する。
このとき、抽選手段(131)では、所定のタイミング、例えば、遊技者がスタートスイッチ(80)を操作した時に、予め定めた確率で特別賞態様を発生させるための抽選を行い、抽選結果が特別賞態様を発生させることとなった場合には、特別賞態様のフラグをセットする。
【００１０】
ここで、図柄列群表示切替手段(136)により画像表示部(40)に表示する図柄列群が決定されて切り替えられる。
すなわち、抽選手段(131)における抽選により特別賞態様の発生条件が成立していないと、通常図柄列群記憶手段(133)に記憶した通常図柄列群(132)が選択される。一方、抽選手段(131)における抽選により特別賞態様の発生条件が成立してフラグがセットされていると、特別図柄列群記憶手段(135)に記憶した特別図柄列群(134)が選択される。
【００１１】
この通常図柄列群記憶手段(133)に記憶された通常図柄列群(132)は、前記ストップスイッチ(90)を操作してから上記画像表示部(40)による図柄の移動表示を停止させるまでに移動表示可能な図柄の数の範囲である図柄の停止過程における移動表示変動範囲内に、特別賞態様が発生する図柄の組合せを構成する図柄を必ずしも配置していない。
一方、特別図柄列群記憶手段(135)に記憶された特別図柄列群(134)は、前記通常図柄列群とは異なる図柄配列を有する図柄列群であって、前記ストップスイッチ(90)を操作してから上記画像表示部(40)による図柄の移動表示を停止させるまでに移動表示可能な図柄の数の範囲である図柄の停止過程における移動表示変動範囲内に、特別賞態様が発生する図柄の組合せを構成する図柄を必ず配置してある。
そして、遊技者がストップスイッチ(90)を操作すると、画像表示部(40)に高速で移動表示されていた図柄が順次停止する。
【００１２】
このように、特別賞態様の発生条件が成立していない場合には、画像表示部(40)に通常図柄列群(132)の図柄が移動表示されているので、図柄を順次停止させてると、賞態様が構成されないか、あるいは通常の賞態様が構成される。
一方、特別賞態様の発生条件が成立して特別賞態様のフラグがセットされている場合には、前記画像表示部(40)には、前記図柄列群表示切替手段(136)によって選択された結果、切り替えられたいずれかの図柄列群が切り替わった状態で移動表示されているので、図柄を順次停止させると、特別賞態様を極めて自然に発生させることができる。
【００１３】
したがって、特別賞態様の発生条件の成立・不成立に合わせて、画像表示部(40)に表示する図柄列群を選択的に切り替えて使用しているので、図柄の移動停止課程が自然なものとなり、遊技者に違和感を与えることがない。
また、特別賞態様の発生条件が成立した場合には、前記ストップスイッチ(90)を操作してから上記画像表示部(40)による図柄の移動表示を停止させるまでに移動表示可能な図柄の数の範囲である図柄の停止過程における移動表示変動範囲内に、特別賞態様が発生する図柄の組合せを構成する図柄を必ず配置してあるので、遊技に未熟な者であっても、停止図柄の組合せが特別賞態様となるように図柄の移動表示を容易に停止させることができる。
【００１４】
【実施例】
以下、図面に基づき本発明の一実施例を説明する。
図１〜４は、本発明の一実施例を示すものであり、図１はスロットマシンの正面図、図２は電気的制御装置の概略構成を示したブロック図、図３は特別賞態様の発生条件が整っていない場合に画像表示部に表示される通常図柄列群の説明図、図４は特別賞態様の発生条件が整った場合に画像表示部に表示される特別図柄列群の説明図を各々示す。
【００１５】
スロットマシン10は、図１に示すように、前扉20の表面にフロントパネル30が設けてあり、フロントパネル30のほぼ中央には、画像表示部40が設けてある。この画像表示部40は液晶表示装置からなり、上下方向に３個の図柄を所定間隔で高速に移動表示させることができる。また、画像表示部40の向かって左横には、遊技に供したメダル数に応じて有効となるラインを表示する有効ライン表示部50が設けてある。
【００１６】
尚、画像表示部40は、液晶表示装置に限られず、複数の図柄列を表示できる装置であればどのような装置、例えばＣＲＴ等であってもよいが、奥行きを薄くしてコンパクトな画像表示部40を提供できるという点で、液晶表示装置が好ましい。
上記したスロットマシン10の表面には、画像表示部40の向かって右斜め下方に、メダルを投入するためのメダル投入口60を設け、メダル投入口60の向かって右側にはクレジットメダルの枚数を表示するクレジット表示部70が設けてある。また、画像表示部40の向かって左斜め下方には、画像表示部40に表示される図柄列の移動表示を開始させるためのレバー状のスタートスイッチ80と、各図柄列の下方に位置するとともに、移動表示されている各図柄列を個別に停止させるためのボタン状の３個のストップスイッチ90…とを設けている。さらに、上記したストップスイッチ90の向かって右側には、クレジットメダルを投入するためのボタン状のクレジットメダル投入スイッチ100と、クレジットメダルを排出させるためのボタン状の精算スイッチ110とが、スロットマシン10の表面に配設されている。
【００１７】
また、上記したスロットマシン10の表面下方には、排出されたメダルが溜まり込むメダル排出皿120が設けてある。
スロットマシン10内部の適宜箇所には、スロットマシン10を電気的に制御する電気的制御装置130が設けてある。この電気的制御装置130は、ＣＰＵ（中央演算装置）、ＲＯＭ（リードオンリーメモリ）、ＲＡＭ（ランダムアクセスメモリ）、入出力制御装置等からなるマイクロコンピュータにより構成されている。
【００１８】
図２に示したブロック図により、電気的制御装置130のうち本発明に係る制御を行う部分の概略構成を説明する。
電気的制御装置130は、予め定めた確率で特別賞態様を発生させるための抽選を行う抽選手段131と、通常図柄列群132を記憶した通常図柄列群記憶手段133と、特別図柄列群134を記憶した特別図柄列群記憶手段135と、抽選手段131における抽選結果に基づき、通常図柄列群記憶手段133に記憶した通常図柄列群132と特別図柄列群記憶手段135に記憶した特別図柄列群134とを選択的に切り替えて画像表示部40に表示させる図柄列群表示切替手段136とを主な構成要素とする。
【００１９】
上記した通常図柄列群記憶手段133に記憶している通常図柄列群132は、抽選手段131の抽選により特別賞態様の発生条件が成立していない場合に使用する図柄列群である。
この通常図柄列群132は、図３に示すように、画像表示部40の図柄表示位置に相当する個数だけの図柄列からなり、それぞれ、「７」、「スカル（星印）」、「ＯＲＡＮＧＥ」、「ＰＯＷ」、「ＨＥＡＲＴ」、「Ｍ（緑）＿ＰＯＷ」、「ＣＨＥＲＲＹ」等の図柄を所定個数、例えば、２１個ずつ配設したもので、この通常図柄列群132に基づき、画像表示部40には、縦３列の通常図柄列の中の３個の図柄が表示される。
【００２０】
この通常図柄列群132では、左側の図柄表示位置に相当する図柄列には、４個の当たり図柄である「７」が配設されており、中央の図柄表示位置に相当する図柄列には、１個の当たり図柄である「７」が配設されており、右側の図柄表示位置に相当する図柄列には、１個の当たり図柄である「７」が配設されている。
したがって、通常図柄列群132を使用している場合には、全く賞態様が構成されないか、通常の賞態様が構成されることとなる。
【００２１】
また、上記した特別図柄列群記憶手段135に記憶している特別図柄列群134は、抽選手段131の抽選により特別賞態様の発生条件が成立した場合に使用する図柄列群であって、画像表示部40に移動表示する図柄の停止過程における移動表示変動範囲内に必ず当たり図柄を配設したものである。
この特別図柄列群134は、図４に示すように、画像表示部40の図柄表示位置に相当する個数だけの図柄列からなり、通常図柄列群132と同様に、それぞれ、「７」、「スカル（星印）」、「ＯＲＡＮＧＥ」、「ＰＯＷ」、「ＨＥＡＲＴ」、「Ｍ（緑）＿ＰＯＷ」、「ＣＨＥＲＲＹ」等の図柄を所定個数、例えば、２１個ずつ配設したもので、この特別図柄列群134に基づき、画像表示部40には、縦３列の特別図柄列の中の３個の図柄が表示される。
【００２２】
この特別図柄列群134では、左側の図柄表示位置に相当する図柄列には、６個の当たり図柄である「７」が配設されており、中央の図柄表示位置に相当する図柄列には、５個の当たり図柄である「７」が配設されており、右側の図柄表示位置に相当する図柄列には、６個の当たり図柄である「７」が配設されている。さらに、それぞれの図柄列において、当たり図柄である「７」は、画像表示部40に移動表示する図柄の停止過程における移動表示変動範囲内、例えば５コマ内に必ず配設されている。
【００２３】
したがって、特別図柄列群134を使用している場合には、特別賞態様を構成させるために無理矢理に図柄を停止させる必要がなく、図柄の停止過程における移動表示変動範囲内において、自然に当たり図柄となるよう停止させることができる。
また、特別賞態様の発生条件が成立した場合には、画像表示部40に移動表示する図柄の停止過程における移動表示変動範囲内に必ず当たり図柄を配設してあるので、遊技に未熟な者であっても、停止図柄の組合せが特別賞態様となるように図柄の移動表示を容易に停止させることができる。
【００２４】
この電気的制御装置130による制御のうち、本発明に係る部分の制御を説明する。
遊技者がクレジットメダル投入スイッチ100を操作して遊技に供するためのメダルを投入すると、投入したメダル枚数に応じて有効ラインが決定され、有効ライン表示部50が点灯して、有効ラインを表示する。そして、遊技者がスタートスイッチ80を操作すると、抽選手段131により所定の確率で特別賞態様が発生するように抽選が行われる。
【００２５】
ここで、抽選結果が特別賞態様を発生させることとなった場合には、特別賞態様のフラグがセットされる。
そして、図柄列群表示切替手段136では、抽選手段131の抽選結果に基づき、画像表示部40に表示する図柄列群を切り替える。すなわち、抽選手段131における抽選により特別賞態様の発生条件が成立していないと、通常図柄列群記憶手段133に記憶した通常図柄列群132が選択される。一方、抽選手段131における抽選により特別賞態様の発生条件が成立してフラグがセットされていると、特別図柄列群記憶手段135に記憶した特別図柄列群134が選択される。
【００２６】
なお、画像表示部40には、この図柄列群表示切替手段136で選択して切り替えた、いずれかの図柄列群132,134が、スタートスイッチ80の操作直後に切り替わって表示され、この切り替わった状態で図柄が移動表示される。
フロントパネル30に設けた画像表示部40には、図柄列群表示切替手段136で選択した図柄列群が表示され、縦３列の図柄列において、それぞれ複数の図柄が順次、高速で移動表示される。
【００２７】
その後、遊技者がストップスイッチ90を操作すると、画像表示部40に高速で移動表示されていた図柄が順次停止する。
このとき、画像表示部40に表示されている図柄列群が通常図柄列群132である場合には、特別賞態様が構成される確率は極めて低いので、全く賞態様が構成されないか、または通常の賞態様が構成される。
【００２８】
一方、画像表示部40に表示されている図柄列群が特別図柄列群134である場合には、図柄の停止制御に基づいて、極めて自然に特別賞態様が構成され、遊技者は特別遊技を行うことができる。
なお、特別遊技には、例えばいわゆる３回のＪＡＣゲームと高確率の普通ゲームとから構成されるビッグボーナスゲームが該当するが、これに限られず、例えば１回のＪＡＣゲームと高確率の普通ゲームとから構成されるシングルボーナスゲームなどであってもよい。
【００２９】
また、図柄列の個数は上記した３列に限られず、ゲーム内容に対応して、適宜変更して実施することができる。
なお、上記実施例では、図柄列群表示切替手段136で選択して切り替えた、いずれかの図柄列群132,134が画像表示部40に表示されるタイミングは、スタートスイッチ80を操作した直後であると説明したが、表示のタイミングはこれに限られず、例えば遊技者がスタートスイッチ80を操作することによって抽選手段131によって抽選の行われたゲームの結果が、メダルの払い出しなどによって確定した後に画像表示部40の表示を切り替えるようにしてもよい。このようにゲームの結果が確定した後に表示を切り替えることで、遊技者は、図柄の移動表示が停止した状態で、図柄の配列が変更されることから、停止図柄の組合せが特別賞態様となるように図柄の移動表示を容易に停止させることができるのを視覚で確認することができるので、遊技者は安心して遊技を行うことができる。
【００３０】
【発明の効果】
本発明は、以上のように構成されているので、以下に記載されるような効果を奏する。
請求項１記載の発明では、特別賞態様の発生状態が異なるように当たり図柄を配設した２種類の図柄列群が記憶されている。すなわち、通常図柄列群記憶手段に記憶された通常図柄列群は、ストップスイッチを操作してから上記画像表示部(40)による図柄の移動表示を停止させるまでに移動表示可能な図柄の数の範囲である図柄の停止過程における移動表示変動範囲内に、特別賞態様が発生する図柄の組合せを構成する図柄を必ずしも配置しておらず、特別図柄列群記憶手段に記憶された特別図柄列群は、ストップスイッチを操作してから上記画像表示部による図柄の移動表示を停止させるまでに移動表示可能な図柄の数の範囲である図柄の停止過程における移動表示変動範囲内に、特別賞態様が発生する図柄の組合せを構成する図柄を必ず配置してある。
【００３１】
そして、図柄列群切替手段では、抽選手段における抽選により特別賞態様の発生条件が成立していないと、通常図柄列群記憶手段に記憶した通常図柄列群が選択され、抽選手段における抽選により特別賞態様の発生条件が成立してフラグがセットされていると、特別図柄列群記憶手段に記憶した特別図柄列群が選択される。
【００３２】
画像表示部には、前記図柄列群表示切替手段によって選択された結果、切り替えられたいずれかの図柄列群が切り替わった状態で移動表示される。
特別賞態様の発生条件が成立していない場合には、画像表示部は通常図柄列群の図柄が移動表示されているので、図柄を順次停止させても特別賞態様が発生する確率は極めて低く、賞態様が構成されないか、あるいは通常の賞態様が構成される。
【００３３】
一方、特別賞態様の発生条件が成立して特別賞態様のフラグがセットされている場合には、画像表示部に特別図柄列群の図柄が移動表示されているので、図柄の停止過程における移動表示変動範囲内に必ず当たり図柄があり、極めて自然に特別賞態様を発生させることが可能となる。
したがって、図柄の移動停止過程を極めて自然なものとすることができ、遊技者に違和感を感じさせることがない。
【００３４】
さらに、特別賞態様の発生条件が成立した場合には、ストップスイッチを操作してから上記画像表示部による図柄の移動表示を停止させるまでに移動表示可能な図柄の数の範囲である図柄の停止過程における移動表示変動範囲内に、特別賞態様が発生する図柄の組合せを構成する図柄を必ず配置してあるので、遊技に未熟な遊技者であっても、停止図柄の組合せが特別賞態様となるように図柄の移動表示を容易に停止させることができる。
【図面の簡単な説明】
【図１】  スロットマシンの正面図である。
【図２】  電気的制御装置の概略構成を示したブロック図である。
【図３】  特別賞態様の発生条件が成立していない場合に画像表示部に表示される通常図柄列群の説明図である。
【図４】  特別賞態様の発生条件が成立した場合に画像表示部に表示される特別図柄列群の説明図である。
【符号の説明】
10  スロットマシン             20  前扉
30  フロントパネル             40  画像表示部
50  有効ライン表示部           60  メダル投入口
70  クレジット表示部           80  スタートスイッチ
90  ストップスイッチ          100  クレジットメダル投入スイッチ
110  精算スイッチ              120  メダル排出皿
130  電気的制御装置            131  抽選手段
132  通常図柄列群              133  通常図柄列群記憶手段
134  特別図柄列群              135  特別図柄列群記憶手段
136  図柄列群表示切替手段
【図１】
0004057070.tif 000002
【図２】
0004057070.tif 000003
【図３】
0004057070.tif 000004
【図４】
0004057070.tif 000005